(57)【要約】【課題】どのような材質の壁面に対しても収納体を設置することが出来る収納体の壁面固収納体の壁面固定方法である。【解決手段】予め組み立てられた収納体１０を壁面の施工位置に設置する固定方法で、複数の施工桟３を壁面本体２に接着する。次いで、予め縦勝ち、又は横勝ちで組み立てられた収納体１０を壁面本体２に沿って配置する。収納体１０の後端部分に設けた係止部１８を施工桟３に係止する。Ｌ形金具２０の一片２０ａと他片２０ｂのそれぞれを複数の施工桟３と収納体１０にビス止めし、複数の施工桟３を介して収納体１０を壁面本体２に取り付ける。【選択図】図１
2017213355.tif 000002
【特許請求の範囲】
【請求項１】
複数の施工桟を壁面本体に接着し、
次いで、予め組み立てられた収納体を壁面本体に沿って配置し、
Ｌ形金具の一片と他片のそれぞれを複数の施工桟と収納体にビス止めし、
複数の施工桟を介して収納体を壁面本体に取り付けることを特徴とする収納体の壁面固定方法。
【請求項２】
部品で現場に納入された棚タイプの収納体の下部固定位置及び上部固定位置に合わせて下側の施工桟及び上側の施工桟を壁面本体に接着し、且つ、前記方立と棚板とを壁面本体に沿って下から組み立て、
組み立てられた収納体の固定位置と施工桟とにＬ形金具の一片と他片をそれぞれビス止めし、
上・下側の施工桟を介して収納体を壁面本体に取り付けることを特徴とする収納体の壁面固定方法。
【請求項３】
天板、底板、側板及び背板とで構成され、壁面本体に沿って床に立設されるように組み立てられる収納体の上部固定位置及び下部固定位置に合わせて上側の施工桟及び下側の施工桟をそれぞれ壁面本体に接着し、且つ上・下側の施工桟を両側から挟むと共に左右の側板の上端と下端とに天板及び底板をそれぞれ取り付けて内側に上・下側の施工桟を収納したボックス本体を壁面に沿わせて構成し、
続いて前記ボックス本体内に背板を挿入し、上・下側の施工桟の前面に配置して収納体を組み立て、
然る後、組み立てられた収納体の固定位置と施工桟とにＬ形金具の一片と他片とをそれぞれビス止めし、
上・下側の施工桟を介して収納体を床置き状態で壁面本体に取り付けることを特徴とする収納体の壁面固定方法。
【請求項４】
天板、底板、側板及び背板とで構成され、壁面本体に吊設状態に組み立てられる収納体の上部固定位置及び下部固定位置に合わせて上側の施工桟及び下側の施工桟をそれぞれ壁面本体に接着し、
上側の施工桟に背板を取り付け、
上側の施工桟と背板とを両側から挟むように左右の側板を配置して上側の施工桟の側端面に左右の側板を取り付け、且つ左右の側板の上下に天板と底板とを配置して左右の側板の上端と天板、及び左右の側板の下端と底板を互いに接続して収納体を組み立て、
然る後、組み立てられた収納体の固定位置と上・下側の施工桟とにＬ形金具の一片と他片とをそれぞれビス止めし、
上・下側の施工桟を介して収納体を壁面本体に吊設状態に取り付けることを特徴とする収納体の壁面固定方法。
【請求項５】
方立と棚板を順次組み立てる棚タイプの収納体の下部固定位置に合わせて下側の施工桟を壁面本体に接着し、
次いで、前記方立と棚板とを壁面本体に沿って下から組み立てて、組み立て途中の収納体の上側の固定位置に合わせて上側の施工桟を壁面本体に接着し、
続いて、残る方立及び棚板、或いは残る棚板を組み上げて収納体を組み立て、
然る後、組み立てられた収納体の固定位置と施工桟にＬ形金具をそれぞれビス止めし、
上・下側の施工桟を介して収納体を壁面本体に取り付けることを特徴とする請求項２に記載の棚タイプの収納体の壁面固定方法。
【請求項６】
方立と棚板を順次組み立てる棚タイプの収納体の下部固定位置に合わせて下側の施工桟を壁面本体に接着し、
次いで、前記方立と棚板とを壁面本体に沿って下から組み立てて、組み立て途中の収納体の下側の固定位置と下側の施工桟とをＬ形金具にてビス止めし、
続いて、残る方立及び棚板を組み立てて、組み立て途中の収納体の上の固定位置Ｐａに合わせて上側の施工桟を壁面本体に接着し、
然る後、残る棚板を組み上げて収納体を組み立て、
組み立てられた収納体の上の固定位置と上側の施工桟にＬ形金具をそれぞれビス止めし、
上・下側の施工桟を介して収納体を壁面本体に取り付けることを特徴とする請求項２に記載の収納体の壁面固定方法。
【請求項７】
収納体の背面に突出した棚板の背面突出部分、又は天板の背面突出部分、或いは天板及び底板の背面突出部分を上・下側の施工桟に対する係止部としたことを特徴とする請求項１〜６のいずれかに記載の収納体の壁面固定方法。
【請求項８】
上・下側の施工桟間に補強桟を設け、補強桟を上・下側の施工桟に接続したことを特徴とする請求項１〜７のいずれかに記載の収納体の壁面固定方法。
【請求項９】
ビスを用いて柱に施工桟を固定した際の固定力を少なくとも発揮できる接着面積で施工桟を壁面本体に接着剤を用いて接着することを特徴とする請求項１〜８のいずれかに記載の収納体の壁面固定方法。
【請求項１０】
ビスの足の長さは、施工桟の板厚より短いことを特徴とする請求項１〜９のいずれかに記載の収納体の壁面固定方法。
【発明の詳細な説明】
【技術分野】
【０００１】
本発明は、壁面に沿って配置される多段収納棚や収納ユニットのような収納体を設置される壁面に安定して固定支持する収納体の壁面固定方法に関する。
【背景技術】
【０００２】
既成の本棚や収納ユニットのような収納体を壁面に沿って設けられた設置スペースに設置する場合、既製の収納体であれば設置スペースのサイズに対して収納体のサイズがミスマッチとなる事がしばしば発生し、壁面と収納体の背面に隙間が発生するなど設置スペースにすっきりと設置することができないという事があった。
【０００３】
これに対して、壁面に収納体を直接設置することにより、壁面のスペースを活用することができるし、上記ミスマッチも解消されてすっきりと設置できる。この場合、収納体を取り付けるには壁紙の上から壁面に水平方向に下地桟をビニル系接着剤で仮止めし、壁面の表面材を介して躯体の間柱に合わせてビスを捻じ込んで下地桟をビス固定し、続いて下地桟に合わせて設けた収納体の壁側端縁部の切欠を嵌め込み、最後に収納体の背板からビスを下地桟に捻じ込んで固定するという事がなされていた。即ち、下地桟の壁面への固定は間柱のような下地材の存在が前提として行われている（特許文献１）。
【先行技術文献】
【特許文献】
【０００４】
【特許文献１】特開平１１−１２８００６号公報
【発明の概要】
【発明が解決しようとする課題】
【０００５】
しかしながら、壁面にはビス施工が不可能な鉄筋コンクリート（ＲＣ）壁のようなものがあり、このような場合には収納体を壁面に添わせて設置することができないという問題がある。
【０００６】
そこで、本発明の主たる課題は、どのような材質の壁面に対しても収納体を設置することが出来、換言すれば、設置場所や壁面本体の材料を選ばず、しかも壁面にビス孔をあける必要がなく、簡易に施工できる収納体の壁面固定方法を提供することを課題とする。
【課題を解決するための手段】
【０００７】
本発明は、第１に、壁の素地である壁面本体２に複数の施工桟３（３ａ・３ｂ）を設置し、予め組み立てた収納体１０（棚タイプ１０ａ、床設置タイプ１０ｂ、フロートタイプ１０ｃ）を該施工桟３（３ａ・３ｂ）に固定する場合、第２に、前記壁面本体２に施工桟３（３ａ・３ｂ）を複数枚設置し、続いて現地に部品として持ち込まれた収納体１０（棚タイプ１０ａ、床設置タイプ１０ｂ、フロートタイプ１０ｃ）を設置位置で直接組み立て、これを施工桟３（３ａ・３ｂ）で固定する場合とがある。また、棚タイプ収納体１０ａの第２の組み立て方法の別法として下側の施工桟３ｂを固定し、続いて、棚タイプ収納体１０ａを途中まで組み立て、その途中で上側の施工桟３ａを固定し、然る後、棚タイプの収納体１０ａを組み上げ、最後に施工桟３ａ・３ｂに固定するという場合がある。
【０００８】
請求項１に記載した発明は、上記のように予め組み立てられた収納体１０を第１の壁面固定方法（図１・図２、図６・図７、図１２・図１３）で設置する場合で、
複数の施工桟３を壁面本体２に接着し、
次いで、予め組み立てられた収納体１０を壁面本体２に沿って配置し、
Ｌ形金具２０の一片２０ａと他片２０ｂのそれぞれを複数の施工桟３と収納体１０にビス止めし、
複数の施工桟３を介して収納体１０を壁面本体２に取り付けることを特徴とする。
【０００９】
本発明において壁面本体２とは、施工桟３（３ａ・３ｂ）の施工部位にクロスのような表面化粧材５が貼着されていない状態を言い、仮に、クロスのような表面化粧材５が貼り付けられている場合には、少なくとも施工桟３（３ａ・３ｂ）の施工（接着）部位の表面化粧材５を取り除き、コンクリート或いは石膏ボードのような壁の素面を剥き出しにした部分をいう。表面化粧材５の剥離面積は、基本的には施工桟３（３ａ・３ｂ）の大きさである。
【００１０】
また、収納体１０とは、日常生活に於いて使用される様々な備品を収納する収納家具で、例えば、方立１１・１３・１５を介して複数の棚板１２・１４・１６を多段に設けた多段棚状の収納体１０ａや、板４３・５３の上下に天板４１・５１と底板４２・５２を取り付けた箱状の収納体１０ｂ・１０ｃなどが考えられる。
【００１１】
上記の場合、収納体１０は予め組み立てられた棚タイプのもの、床置き設置型のもの、或いはフロートタイプのものなど、様々なタイプのものが対象となる。
収納体１０に設けられた壁面本体２への上記固定位置（以下、この位置をＰａ・Ｐｂで示す。）とは、収納体１０を施工桟３（３ａ・３ｂ）に固定する位置で、ここではＬ形金具２０の他片２０ｂの取り付け位置である。
上記固定位置Ｐａ・Ｐｂは、収納体１０のどの部分でも良いが、施工桟３に対する収納体１０の取り付け位置がしっかりと固定できる位置が好ましい。固定位置Ｐａ・Ｐｂは、図の実施例では上下２箇所であるがこれに限られず、３以上とすることも可能である。
【００１２】
請求項２に記載した発明は、部品で現場に納入された棚タイプの収納体１０ａの壁面固定方法で（図３〜５）、
部品で現場に納入された棚タイプの収納体１０ａの下部固定位置Ｐｂ及び上部固定位置Ｐａに合わせて下側の施工桟３ｂ及び上側の施工桟３ａを壁面本体２に接着し、且つ、前記方立１１・１３・１５と棚板１２・１４・１６とを壁面本体２に沿って下から組み立て、
組み立てられた収納体１０ａの固定位置Ｐａ・Ｐｂと施工桟３ａ・３ｂとにＬ形金具２０の一片２０ａと他片２０ｂをそれぞれビス止めし、
上・下側の施工桟３ａ・３ｂを介して収納体１０ａを壁面本体２に取り付けることを特徴とする。
【００１３】
上記の固定方法において、収納体１０ａの組み立てと、上・下側の施工桟３ａ・３ｂの壁面本体２との接着はどちらが先でもよい。ここでは現場で組み立てられた収納体１０ａが壁面本体２に接着された施工桟３ａ・３ｂに取り付けられる場合である。
【００１４】
請求項３に記載した発明は、部品で現場に納入された床置きタイプの収納体１０ｂの壁面固定方法（図８〜図１１）で、
天板４１、底板４２、側板４３及び背板４４とで構成され、壁面本体２に沿って床１に立設されるように組み立てられる収納体１０ｂの上部固定位置Ｐａ及び下部固定位置Ｐｂに合わせて上側の施工桟３ａ及び下側の施工桟３ｂをそれぞれ壁面本体２に接着し、且つ上・下側の施工桟３ａ・３ｂを両側から挟むと共に左右の側板４３の上端と下端とに天板４１及び底板４２をそれぞれ取り付けて内側に上・下側の施工桟３ａ・３ｂを収納したボックス本体４５を壁面に沿わせて構成し、
続いて前記ボックス本体４５内に背板４４を挿入し、上・下側の施工桟３ａ・３ｂの前面に配置して収納体１０ｂを組み立て、
然る後、組み立てられた収納体１０ｂの固定位置Ｐａ・Ｐｂと施工桟３ａ・３ｂとにＬ形金具２０の一片２０ａと他片２０ｂとをそれぞれビス止めし、
上・下側の施工桟３ａ・３ｂを介して収納体１０ｂを床置き状態で壁面本体２に取り付けることを特徴とする。
【００１５】
請求項４に記載した発明は、部品で導入されたフロートタイプの収納体１０ｃの壁面固定方法（図１４〜１７）で、
天板５１、底板５２、側板５３及び背板５４とで構成され、壁面本体２に吊設状態に組み立てられる収納体１０ｃの上部固定位置Ｐａ及び下部固定位置Ｐｂに合わせて上側の施工桟３ａ及び下側の施工桟３ｂをそれぞれ壁面本体２に接着し、
上側の施工桟３ａに背板５４を取り付け、
上側の施工桟３ａと背板５４とを両側から挟むように左右の側板５３を配置して上側の施工桟３ａの側端面に左右の側板５３を取り付け、且つ左右の側板５３の上下に天板５１と底板５２とを配置して左右の側板５３の上端と天板５１、及び左右の側板５３の下端と底板５２を互いに接続して収納体１０ｃを組み立て、
然る後、組み立てられた収納体１０ａの固定位置Ｐａ・Ｐｂと上・下側の施工桟３ａ・３ｂとにＬ形金具２０の一片２０ａと他片２０ｂとをそれぞれビス止めし、
上・下側の施工桟３ａ・３ｂを介して収納体１０ｃを壁面本体２に吊設状態に取り付けることを特徴とする。
【００１６】
請求項５に記載の発明は、請求項２に記載の棚タイプの収納体１０ａの壁面固定方法の別法（下側の施工桟３ｂを先に、上側の施工桟３ａを後で接着する場合）で、
方立１１・１３・１５と棚板１２・１４・１６を順次組み立てる棚タイプの収納体１０ａの下部固定位置Ｐｂに合わせて下側の施工桟３ｂを壁面本体２に接着し、
次いで、前記方立１１・１３と棚板１２・１４とを壁面本体２に沿って下から組み立てて、組み立て途中の収納体１０ａの上側の固定位置Ｐａに合わせて上側の施工桟３ａを壁面本体２に接着し、
続いて、残る方立１５及び棚板１６、或いは残る棚板１６を組み上げて収納体１０ａを組み立て、
然る後、組み立てられた収納体１０ａの固定位置Ｐａ・Ｐｂと施工桟３ａ・３ｂにＬ形金具２０をそれぞれビス止めし、
上・下側の施工桟３ａ・３ｂを介して収納体１０ａを壁面本体２に取り付けることを特徴とする。
【００１７】
請求項６に記載の発明は、請求項２に記載の棚タイプの収納体１０ａの壁面固定方法の更なる別法（下の棚板１２を下側の施工桟３ｂに先にＬ形金具２０で固定し、その後、組み上げてから、或いは組み立て途中で上の棚板１６を上側の施工桟３ａにＬ形金具２０で固定する場合）で、
方立１１・１３・１５と棚板１２・１４・１６を順次組み立てる棚タイプの収納体１０ａの下部固定位置Ｐｂに合わせて下側の施工桟３ｂを壁面本体２に接着し、
次いで、前記方立１１と棚板１２とを壁面本体２に沿って下から組み立てて、組み立て途中の収納体１０ａの下側の固定位置Ｐｂと下側の施工桟３ｂとをＬ形金具２０にてビス止めし、
続いて、残る方立１３・１５及び棚板１４を組み立てて、組み立て途中の収納体１０ａの上の固定位置Ｐａに合わせて上側の施工桟３ａを壁面本体２に接着し、
然る後、残る棚板１６を組み上げて収納体１０ａを組み立て、
組み立てられた収納体１０ａの上の固定位置Ｐａと上側の施工桟３ａにＬ形金具２０をそれぞれビス止めし、
上・下側の施工桟３ａ・３ｂを介して収納体１０ａを壁面本体２に取り付けることを特徴とする。
【００１８】
請求項７に記載の発明は、請求項１〜６のいずれかに記載の収納体１０の壁面固定方法であって、
収納体１０の背面に突出した棚板１２・１６の背面突出部分、又は天板５１の背面突出部分、或いは天板５１及び底板５２の背面突出部分を上・下側の施工桟３ａ・３ｂに対する係止部１８としたことを特徴とする。
【００１９】
この場合、収納体１０の荷重は、主として係止部１８と、これが係止する施工桟３（３ａ・３ｂ）が受け持ち、Ｌ形金具２０への負荷が軽減される。
【００２０】
請求項８に記載した発明は、請求項１〜７のいずれかに記載の収納体１０の壁面固定方法において、
上・下側の施工桟３ａ・３ｂ間に補強桟３ｃを設け、補強桟３ｃを上・下側の施工桟３ａ・３ｂに接続したことを特徴とする。
これにより補強桟３ｃを介して上・下側の施工桟３ａ・３ｂが一体化される。
【００２１】
請求項９に記載した発明は、請求項１〜８のいずれかに記載の収納体１０の壁面固定方法において、ビス３０を用いて柱に施工桟３（３ａ・３ｂ）を固定した際の固定力を少なくとも発揮できる接着面積で施工桟３（３ａ・３ｂ）を壁面本体２に接着剤を用いて接着することを特徴とする。
接着剤としては例えば変性シリコン系の接着剤その他後述する相当品が用いられる。
【００２２】
請求項１０に記載した発明は、請求項１〜９のいずれかに記載の収納体１０の壁面固定方法において、ビス３０の足３０ａの長さは、施工桟３（３ａ・３ｂ）の板厚より短いことを特徴とする。
これによりＬ形金具２０の一片２０ａを施工桟３（３ａ・３ｂ）に取り付ける時、ビス３０の足３０ａが施工桟３の内側に収まり、壁面本体２を傷つけることがない。
【発明の効果】
【００２３】
本発明によれば、壁面本体にビス孔をあけることなくしかも広狭を問わずどのような壁面本体に対しても収納体を強固に設置することが出来る。
また、第１の方法の場合、予め組み立てた重い収納体を取扱うことになるので、現場作業時間は短縮されるものの作業者に負担が掛りやすいが、第２の場合には、逆に現場作業時間は長くなるものの収納体を部品で取り扱うので、作業者への負担は小さくすることができる。
【図面の簡単な説明】
【００２４】
【図１】本発明の収納体の第１実施例の正面図である。
【図２】図１の側面図である。
【図３】第１実施例に於ける施工桟の取り付け状態の斜視図である。
【図４】第１実施例に於ける最下段の方立の取り付け状態の斜視図である。
【図５】図１の斜視図である。
【図６】本発明の収納体の第２実施例の枠体取り付け前の斜視図である。
【図７】本発明の収納体の第２実施例の斜視図である。
【図８】第２実施例に於ける施工桟の取り付け状態の正面図である。
【図９】図８の縦断面図である。
【図１０】本発明の収納体の第２実施例の正面図である。
【図１１】図１０の断面図である。
【図１２】本発明の収納体の第３実施例の枠体取り付け前の斜視図である。
【図１３】本発明の収納体の第３実施例の斜視図である。
【図１４】第３実施例に於ける施工桟の取り付け状態の正面図である。
【図１５】図１４の縦断面図である。
【図１６】本発明の収納体の第３実施例の正面図である。
【図１７】図１６の断面図である。
【図１８】本発明の収納体の第４実施例の正面図である。
【発明を実施するための形態】
【００２５】
以下、本発明を図示実施例に従って説明する。図１、２は収納体１０が多段収納棚の例（第１実施例）である。以下、第１実施例では多段収納棚に符号１０ａを付して説明する。図の実施例の多段収納棚１０ａは３段で、方立１１・１３・１５と棚板１２・１４・１６とで構成されている。勿論、３段以上でもよいし、３段以下でもよい。
【００２６】
図の実施例の棚板１２・１４・１６は同じ長さに形成されているが、勿論、異なる長さ（図示していないが、例えば、中段の棚板１４を短くして左右２枚とし、左右２枚の中段の棚板１４を一対２組の方立１３で支持し、最上側の棚板１６と最下側の棚板１２との間で多段収納棚１０ａの中央に広いスペースを取り、テレビモニター収納空間とする。）に形成し、様々な高さの設置物を設置できるようにしてもよい。
【００２７】
また、方立１１・１３・１５は、同じ段のものは同じ高さに形成されている。図の実施例の各段の方立１１・１３・１５は、同じ形状に形成されているが、前後幅の異なるものや、形状の異なるものなど適宜選択することができる。
【００２８】
Ｌ形金具２０は金属片（例えば、鉄や真鍮）をＬ形に屈曲したもの、或いは硬質樹脂の成形品で、それぞれの片２０ａ・２０ｂにビス孔が穿設されている。
【００２９】
施工桟３は厚手の板材で、例えば、１２〜１８ｍｍ厚の合板、パーティクルボード、オリエンテッドストランドボード（ＯＳＢ）、中密度繊維板（ＭＤＦ）などが用いられる。図の実施例では棚板１２・１４・１５と同じ長さに形成されている。勿論、施工現場の状況に合わせて棚板１２・１４・１５より短い長さに形成してもよい。
【００３０】
接着剤は、ビスなしで施工桟３を壁面本体２に固着できるような接着力の強力なもので、本発明においては、変性シリコン系の接着剤が用いられる。勿論、接着剤はこれに限られず、例えば、ウレタン系、エポキシ系、或いは、アクリル系の接着剤の使用も可能であるが、必要な養生時間を考えると、変性シリコン系の接着剤が最適である。なお、施工桟３の壁面本体２への固着は、接着剤のみで行うようにしてもよいし、両面テープや面ファスナーといった固着手段を使用するようにしてもよい。
【００３１】
また、本発明が適用される壁面本体２はコンクリート或いは石膏ボードのような壁の素面が剥き出しになっている部分を言い、仮に表面化粧材５が貼り付けられている場合には少なくとも施工桟３の施工部位の表面化粧材５を取り除いた素面ということになる。図面では、表面化粧材５の取り除き部分を明確に表すため、施工桟３より大きく取り除いたように記載されているが、外観を考慮して実際は表面化粧材５と同じ形状に取り除かれる。
【００３２】
次に、第１実施例（棚収納タイプ）の第１の施工方法について、図１〜５を参照しつつ説明する。本実施例では、施工桟３は上下２枚を使用する。下側の施工桟を３ｂとし、上側の施工桟を３ａとする。第１の施工方法では、上記のように上・下側の施工桟３ａ・３ｂを先に施工（接着）場所に接着し、その後、予め組み上げられた収納体１０ａを取り付けることになるが、当該部位に表面化粧材５が貼られている場合には、接着前にこれを剥離しておくことになる（図３参照）。
【００３３】
収納体１０ａを構成する棚板は、本実施例では上中下３枚の棚板１２・１４・１６で、最上段（天井に一番近い）の棚板１６の下面と、上側の施工桟３ａの上面とが接するようにして上側の施工桟３ａの取り付け位置を決定し、最下段（一番床より）の棚板１２の下面と下側の施工桟３ｂの上面とが接するようにして下側の施工桟３ａの取り付け位置を決定する（図４参照）。即ち、最下段の棚板１２の下面が、収納体１０に設けられた壁面への固定位置Ｐｂである。
【００３４】
換言すれば、下側の施工桟３ｂの上面の位置は最下段（一番床より）の方立１１の高さに等しく、上側の施工桟３ａの上面の位置は、上中下３段の方立１１・１３・１５の高さと、最下側の棚板１２、中間の棚板１４の板厚の和に等しい位置になる。
【００３５】
施工桟３ａ・３ｂの取り付け位置に表面化粧材（クロス）５が張られている場合には、上記固定位置Ｐａ・Ｐｂに対応する床１からの位置を採寸し、この位置Ｘａ・Ｘｂを基準に、その下側で施工桟３ａ・３ｂの接着面（上下幅×左右長さ）の分だけ表面化粧材５を剥離して、壁面本体２（例えば、コンクリートや石膏ボード）を露出させる（図では、前述のように剥離の状態を理解しやすくするために施工桟３ａ・３ｂより大きく剥離しているように描いているが、実際は施工桟３ａ・３ｂの設置面に一致するように剥離する。この点は他の実施例においても同じである。）。
【００３６】
施工桟３ａ・３ｂの取り付けには強力な接着剤である変性シリコン系の接着剤を施工桟３ａ・３ｂの裏面（接着面）に塗布し、上記所定位置に接着後、１時間以上養生させる。
【００３７】
前記接着剤による施工桟３ａ・３ｂの固定強度は、ビスを柱に固定した場合のビス抜き強度（約３，０００Ｎ／本）と同等更にはそれ以上の強度を確保することが要求される。例えば、変性シリコン系接着剤を用いて施工桟３ａ・３ｂを壁面本体２に固定する場合、上記同様の強度を確保するためには約２００ｃｍ2の接着面積が必要とされる。なお、必要とされる施工桟の接着面積は、使用する接着剤の接着強度に応じて適宜設定される。
【００３８】
施工桟３ａ・３ｂの壁面本体２への取り付け作業と平行して棚収納タイプの収納体１０ａの組み立てが行われる。以下、組み立ての一例を示す。
【００３９】
まず、最下側の左右一対の方立１１を所定間隔で床１上に立設し（図４参照）、その上に最下側の棚板１２を載置して接着固定する。次いで中段の方立１３を最下側の棚板１２の上に立設して接着固定する。中段の方立１３の数と間隔は収納する物によって決められ、本実施例では４枚の方立１３が用いられる。中段の方立１３が立設されると、中段の棚板１４が方立１３の上に載置され接着にて固定される。
【００４０】
中段の棚板１４の取り付けが終了すると、最上側の方立１５が中段の棚板１４の上に立設され接着固定される。前述同様、最上側の方立１５の数と間隔は収納する物によって決められ、本実施例では３枚の方立１５が用いられる。
【００４１】
最上側の方立１５が立設されると、最後に最上側の棚板１６が方立１５の上に載置され接着にて固定され、棚収納タイプの収納体１０ａの組み立てが完了する（図５参照）。
【００４２】
本実施例では、方立１１・１３・１５の奥行き幅は、棚板１２・１４・１６の奥行き幅より短く、図２から分かるように棚板１２・１４・１６の後端は、方立１１・１３・１５の後端より施工桟３ａ・３ｂの板厚分を超えて後方（壁側）に突出するように組み立てられる。
【００４３】
次に、組み立てが完了した棚収納タイプの収納体１０ａを壁面の前に設置する。収納体１０ａの背面は前述のように方立１１・１３・１５が前にせり出し、施工桟３ａ・３ｂと干渉しないようになっているので、棚板１２・１４・１６の後端を壁面に接して設置させ、施工桟３ａ・３ｂに対応する棚板１２・１６の後端部分を施工桟３ａ・３ｂの上面に係止させる。従って、この場合は、棚板１２・１６の後端部分が係止部１８となる。
【００４４】
収納体１０ａの壁面前設置が終了すると、Ｌ形金具２０にて収納体１０ａを施工桟３ａ・３ｂにビス止めする。即ち、Ｌ形金具２０の一片２０ａをビス３０にて施工桟３ａ・３ｂにそれぞれ固定し、Ｌ形金具２０の他片２０ｂである水平片を最下側の棚板１２、及び最上側の棚板１６の下面（固定位置Ｐａ・Ｐｂ）にビス止めする。前記ビス３０の足３０ａは施工桟３ａ・３ｂの板厚や棚板１２・１６の板厚より短く、施工桟３ａ・３ｂの背面、棚板１２・１６の上面に突き抜けない。これによりビス固定でも壁面本体２が損傷を受けない。
【００４５】
収納体１０ａが小さい場合には、Ｌ形金具２０は最少の左右一対で足り、収納体１０ａが大きく、棚板１２が長くなればこれに比例して増加される。本実施例では上下各４個のＬ形金具２０が用いられている。通常、Ｌ形金具２０の設置間隔は６００ｍｍ以下とされる。
【００４６】
次に、第２実施例であるボックス収納床置きタイプの収納体１０ｂ（図６、７参照）の第１の施工方法について説明する。収納体１０ｂは、天板４１、底板４２、左右一対の側板４３及び背板４４とで構成されている。天板４１、底板４２、左右一対の側板４３を横勝ち（天板４１と底板４２との間に側板４３が挟まれた状態で取り付けた枠組み）、又は縦勝ち（側板４３の上・下端の間に天板４１と底板４２とが挟まれた状態で取り付けた枠組み）に組み立ててボックス本体４５が形成されている。そして、これらで箱状に構成されたボックス本体４５の背面全面を背板４４でカバーするようになっている。
【００４７】
背板４４は、ボックス本体４５内に収納できる大きさで、施工桟３の厚み分だけ、或いは厚み分を越えて前方に設置されている。従って、図７に示すように壁面本体２に装着された施工桟３ａ・３ｂはボックス本体４５内に隠れる。
【００４８】
施工桟３は第１実施例と同じで、上・下側の施工桟３ａ・３ｂで構成されている。施工桟３ａ・３ｂの長さは左右一対の側板４３間の長さに等しく、厚みは前述のようにボックス本体４５の背面突出代に等しい。図の実施例ではボックス本体４５が大きいので、上・下側の施工桟３ａ・３ｂの間に縦向きの補強桟３ｃが設置され、補強桟３ｃの端部が上・下側の施工桟３ａ・３ｂに接着され一体となっている。ボックス本体４５が小さい場合には必ずしも必要ではない。この場合、底板４２は下側の施工桟３ｂの上に来て係止しないが、天板４１は上側の施工桟３ａに係止するので、天板４１の後端部分が係止部１８となる。
【００４９】
第２実施例の第１の施工方法について説明する。まず、上・下側の施工桟３ａ・３ｂと補強桟３ｃを第１実施例と同様に床１から採寸して（表面化粧材５が貼られている場合には、当該部分を剥離して、即ち、下側の施工桟３ｂについては位置Ｘｂより上の部分を、上側の施工桟３ａについては位置Ｘａより下の部分を必要部分だけ剥離して）壁面本体２に第１実施例の接着剤にて接着する。
【００５０】
補強桟３ｃはボックス本体４５が小さい場合には不要だが、ボックス本体４５がある程度大きくなると背板４４を補強するために必要になる。
【００５１】
図の実施例では、上・下側の施工桟３ａ・３ｂの中央に縦方向に補強桟３ｃが配置されている。補強桟３ｃは、上・下側の施工桟３ａ・３ｂの施工後に上・下側の施工桟３ａ・３ｂの間に配置され、補強桟３ｃの上下端面が上・下側の施工桟３ａ・３ｂにそれぞれ接着されるが、壁面本体２には接着されない。なお、補強桟３ｃは図の実施例では中央に１本であるが、勿論、これに限られず、複数本の補強桟３ｃを設けることも可能である。
【００５２】
上側の施工桟３ａの取付位置は、ボックス本体４５の壁面前の設置位置において、その上面がボックス本体４５の天板４１の下面に接触して係止し、且つ、その両側面がボックス本体４５の側板４３の内側に入るような位置に接着される。
【００５３】
下側の施工桟３ｂは、その下面がボックス本体４５の底板４２の上面に接触し、且つ、その両側面がボックス本体４５の側板４３の内側に入るような位置に接着される。然る後、前述のように補強桟３ｃが上・下側の施工桟３ａ・３ｂ間の中央に嵌まり込むように接着される。
【００５４】
次に、ボックス本体４５が壁面の前に設置され、Ｌ形金具２０の一片２０ａが背板４４を介して上・下側の施工桟３ａ・３ｂに実施例１と同様にビス止めされる。上側の施工桟３ａにビス止めされたＬ形金具２０の他の片２０ｂ（水平片）は、天板４１の下面にビス３０にて取り付けられ、下側の施工桟３ｂにビス止めされたＬ形金具２０の他の片２０ｂは、底板４２の上面にビス３０にて取り付けられる。これにより、ボックス本体４５が壁面本体２に取り付けられる。
【００５５】
ここで、上記のようにボックス本体４５の天板４１の後端部分の下面が上側の施工桟３ａの上面に接触して係止されるので、この部分が係止部１８となる。そして、既に述べたように、天板４１の下面が壁面への固定位置Ｐａとなり、この天板４１の下面（固定位置Ｐａ）に対応する壁面の位置が床１から採寸される対応位置Ｘａとなる。
これに対してボックス本体４５の底板４２の後端部分は、上記のように下側の施工桟３ｂに係止しないので係止部１８とはならないが、該底板４２の上面は、下側の施工桟３ｂの取付基準となるので、前記上面がボックス本体４５の固定位置Ｐｂとなり、これに対応する壁面の位置が床１から採寸される対応位置Ｘｂとなる。
【００５６】
次に、第３実施例であるボックス収納フロートタイプの収納体１０ｃ（図１２〜１３）について説明する。収納体１０ｃの構成例は、第２実施例と同様で、天板５１、底板５２、左右一対の側板５３、及び背板５４とで構成されている。天板５１、底板５２、及び左右一対の側板５３が縦勝ちまたは横勝ちで枠状に組まれ、ボックス本体５５を形成する。そして、背板５４はボックス本体５５の内側に収納され、その背面全面をカバーするように取り付けられている。
【００５７】
背板５４は、上側の施工桟３ａの厚み分（或いは厚み分を超える分）だけボックス本体５５の内部にて前方に設置されている。従って、図１３に示すように壁面本体２に装着された上側の施工桟３ａはボックス本体５５内に隠れる。
【００５８】
施工桟３は第２実施例と同じで、上・下側の施工桟３ａ・３ｂで構成されている。上側の施工桟３ａの長さは左右一対の側板５３の内側に入る長さで、厚みは、前述のようにボックス本体５５の背面突出代に等しい。これに対して下側の施工桟３ｂは、厚みは同じであるが、ボックス本体５５の横幅に等しい。
【００５９】
図の実施例ではボックス本体５５が大きいので、第２実施例と同様、上・下側の施工桟３ａ・３ｂの間に縦向きの補強桟３ｃが設置されている。ボックス本体５５が小さい場合には補強桟３ｃは必ずしも必要ではない。
【００６０】
第３実施例の第１の施工方法について説明する。上・下側の施工桟３ａ・３ｂ（表面化粧材５が貼られている場合には、これを当該部分だけ剥離、即ち、上・下側の施工桟３ａ・３ｂの施工基準位置Ｘａ・Ｘｂの下側の部分を上記剥離面積だけ剥離する。）と、補強桟３ｃとを実施例２と同様に壁面本体２に前記接着剤にて接着する。補強桟３ｃは必要に応じて第２実施例と同様に設けられる。
【００６１】
上側の施工桟３ａの取付位置は、ボックス本体５５の壁面前の設置位置において、その上面がボックス本体５５の天板５１の後端部分の下面である係止部１８に接触して係止し、且つ、その両側面がボックス本体５５の側板５３の内側に入るような位置に接着される。
【００６２】
下側の施工桟３ｂは、その上面がボックス本体５５の底板５２の後端部分の下面である係止部１８に接触して係止し、下からボックス本体５５を支える位置に接着される。然る後、前述のように補強桟３ｃが接着される。
【００６３】
続いて、ボックス本体５５が壁面前面にてボックス本体５５の底板５２の係止部１８が下側の施工桟３ｂに乗るように配置され、同時に天板５１の後端部分の下面である係止部１８に上側の施工桟３ａに乗るように配置され、上側のＬ形金具２０の一片２０ａが背板５４を介して上側の施工桟３ａにビス止めされ、続いて水平方向を向いた他の片２０ｂを天板５１の下面にビス止めする。
【００６４】
次に（或いは上側のＬ形金具２０に先駆けて）、下のＬ形金具２０の一片２０ａを下側の施工桟３ｂにビス止めし、続いて水平方向を向いた他の片２０ｂを底板５２の下面にビス止めする。これにより、ボックス本体５５が壁面本体２に取り付けられる。
【００６５】
上記の実施例において、第１番目に施工桟３を壁面本体２に接着し、第２番目に収納体１０を施工位置と異なる場所で組み立て（１番と２番を逆にしてもよい。）、組み立てた収納体１０を施工場所に移動させ、最後にＬ形金具２０で収納体１０を施工桟３に取り付けることになる。Ｌ形金具２０にて収納体１０を施工桟３に取り付けるに当たって、Ｌ形金具２０を収納体１０に先に付けるか、施工桟３に先に付けるかは施工現場の判断によるもので、いずれが先でもよい。
【００６６】
次に、本発明の第２の施工方法について説明する。この場合は、上・下側の施工桟３ａ・３ｂを壁面本体２に接着する点は第１の施工方法と同じであるが、収納体１０が部品で現場に納入され、施工位置で順次組み立てられる。
以下、第１実施例（棚収納タイプ）の第２の施工方法について、図１〜５を参照しつつ説明する。本実施例も、施工桟３は上下２枚を使用する。上・下側の施工桟３ａ・３ｂは先に施工（接着）場所に接着される。
【００６７】
次に、施工位置の床１上にて棚収納タイプの収納体１０ａが現場施工によって組み立てられる。組立手順は第１実施例と同じで、最下側の左右一対の方立１１を所定間隔で床１上に立設し、その上に最下側の棚板１２を載置して接着固定し、次いで中段に移り、最後に最上側の棚板１６が方立１５の上に載置され接着にて固定されて組み立てが完了する。そして、棚板１２・１６の後端部分である係止部１８が施工桟３ａ・３ｂの上面に係止する点、収納体１０ａの壁面前組立設置終了後のＬ形金具２０による固定も同じである。
【００６８】
次に、第２実施例であるボックス収納床置きタイプの収納体１０ｂ（図８〜１１参照）の第２の施工方法について説明する。収納体１０ｂの構成は第２実施例と同じで、部品で現場に搬入されている。上・下側の施工桟３ａ・３ｂの接着施工後、設置場所において直接、収納体１０ｂの組み立てを行う。必要に応じて補強桟３ｃが取り付けられる。続いて収納体１０ｂの組み立てが施工位置において行われる。以下、収納体１０ｂの組み立て手順を説明する。
【００６９】
まず、側板４３を上・下側の施工桟３ａ・３ｂを両側から挟むように配置して上・下側の施工桟３ａ・３ｂの端部に取り付け、底板４２を床１と下側の施工桟３ｂ間に挿入し、且つ天板４１を側板４３の上端に取り付ける。側板４３、天板４１および底板４２との関係は、縦勝ちに組み立てる場合には、左右の側板４５の間に天板４１および底板４２が挟まれるように取り付けられ、横勝ちの場合には、左右の側板４３が天板４１と底板４２の間に挟まれるように取り付けられる。
このようにしてボックス本体４５が施工位置で形成されると、ボックス本体４５の内側に上・下側の施工桟３ａ・３ｂが収納された状態で組み立てられ、上側の施工桟３ａの上面に天板４１の後端部分である係止部１８が係止する。
【００７０】
然る後、背板４４がボックス本体４５に挿入され、上・下側の施工桟３ａ・３ｂ（及び補強桟３ｃ）に取り付けられる。最後にＬ形金具２０の一片２０ａが背板４４を介して上・下側の施工桟３ａ・３ｂに取り付けられ，他片２０ｂが天板４１及び底板４２にそれぞれ取り付けられて設置場所における組み立てが完了する。
【００７１】
次に、第３実施例であるボックス収納フロートタイプの収納体１０ｃ（図１４〜１７）の第２の施工方法について説明する。この場合も同じで部品で施工現場に運び込み、施工位置で収納体１０ｃを組み上げる。上・下側の施工桟３ａ・３ｂを壁面本体２に前記接着剤にて接着する。補強桟３ｃは必要に応じて設けられる。補強桟３ｃを設ける場合、補強桟３ｃの下端と下側の施工桟３ｂとの間には底板５２を挿入することができる隙間が設けられる。
【００７２】
続いて、上側の施工桟３ａ及び背板５４を両側から挟むように左右一対の側板５５を取り付け、次に底板５２を前記隙間に差し込み、側板５３および背板５４の下端に取り付ける。そして（或いはこれに先立って）、天板５１を側板５３の上端に取り付け、その後端部分である係止部１８を上側の施工桟３ａの上面に係止する。側板５３、天板５１及び底板５２との枠組みの関係については、床置きタイプと同様、縦勝ち又は横勝ちに組み立てられる。
【００７３】
そして上側のＬ形金具２０の一片２０ａが背板５４を介して上側の施工桟３ａにビス止めされ、続いて水平方向を向いた他の片２０ｂを天板５１の下面にビス止する。下のＬ形金具２０の一片２０ａを下側の施工桟３ｂにビス止めし、続いて水平方向を向いた他の片２０ｂを底板５２の下面にビス止めする。これにより、ボックス本体５５が壁面本体２に取り付けられる。
なお、以上の組み立てにおいて、側板４３（５３）、天板４１（５１）、及び底板４２（５２）並びに背板４４（５４）の組み立て手順は上記例に限られず、順序を変えて組み立てることは可能である。
【００７４】
最後に、棚タイプ収納体１０ａの第２の組み立て方法の別法について説明する。
表面化粧材５が存在する場合には、まず、下側の施工桟３ｂの施工位置に一致する部分の表面化粧材５を剥離する。即ち、下側の施工桟３ｂの上面が最下側の方立１１の高さに一致する位置Ｘｂより下の部分で剥離が行われ、その接着面の大きさ（上下幅×左右長さ）に表面化粧材５を剥離する。剥離が終了すると、当該位置に下側の施工桟３ｂを接着し、所定時間、養生する。
【００７５】
続いて、壁面前方で最下側の左右一対の方立１１を所定間隔で床１上に立設し、その上に最下側の棚板１２を載置して接着固定する。最下側の棚板１２の後端部分である係止部１８が下側の施工桟３ｂの上面に乗る。
【００７６】
次いで中段の方立１３を最下側の棚板１２の上に立設して接着固定し、その上に中段の棚板１４が載置され接着にて固定される。中段の棚板１４の取り付けが終了すると、中段の棚板１４の上面から最上側の方立１５の高さに一致する位置に上側の施工桟３ａの上面が一致するようにして上側の施工桟３ａの大きさ（上下幅×左右長さ）に表面化粧材５を剥離する。
【００７７】
上記剥離が終了すると、下側の施工桟３ｂと同様に上側の施工桟３ａを剥離部分に接着し、所定時間、養生する。最後に、最上側の方立１５を中段の棚板１４の上に立設し、これらを接着固定する。
【００７８】
最上側の方立１５が立設されると、最上側の棚板１６を方立１５の上に載置すると共に係止部１８である最上側の棚板１６の壁側端部を上側の施工桟３ａの上面に乗せ、接着にて固定する。そして、最後にＬ形金具２０にて最下側の棚板１２（或いは下側の固定位置Ｐｂ）と最上側の棚板１６（或いは上側の固定位置Ｐａ）を施工桟３ａ・３ｂにビス止めする。
なお、最下側（或いは下側）の棚板１２の取り付けが終了した時点で、先に最下側の棚板１２（或いは下側の固定位置Ｐｂ）と下側の施工桟３ｂとをＬ形金具２０にてビス止めして連結することは可能である。
この組み立て方法の場合、最上側の棚板１６の設置段階で上側の施工桟３ａの接着位置を現合にて決めるので、採寸に間違いがなく上記組み立て方法に比べて正確かつ簡単に施工することが出来る。
【００７９】
図１８に示す第４実施例は、両側に第２実施例のボックス床置きタイプの収納体１０ｂを設置し、中央に第２実施例のフロートタイプの収納体１０ｃを設置する場合で、それぞれ上・下側の施工桟３ａ・３ｂを接着し、必要に応じて上・下側の施工桟３ａ・３ｂに補強桟３ｃを接着する。続いて、これと平行して前述のように組み立てられた（或いは部品で現場に持ち込まれた）収納体１０ｂ・１０ｃを壁面前の設置場所にて現場に最適の順序で順次設置し、Ｌ形金具２０で上・下側の施工桟３ａ・３ｂにビス止めする。勿論、収納体１０の組み合わせは、上記実施例に限られず、第１〜３実施例を好みに合わせて自在に組み合わせることが出来る。
【符号の説明】
【００８０】
１：床、２：壁面本体、３：施工桟、３ａ：上側の施工桟、３ｂ：下側の施工桟、３ｃ：補強桟、５：表面化粧材、１０：収納体、１０ａ：多段収納棚、１０ｂ：床置きタイプのボックス型収納体、１０ｃ：フロートタイプのボックス型収納体、１１：最下側の方立、１２：最下側の棚板、１３：中段の方立、１４：中段の棚板、１５：最上側の方立、１６：最上側の棚板、１８：係止部、２０：Ｌ形金具、２０ａ：Ｌ形金具の一片、２０ｂ：Ｌ形金具の他片、３０：ビス、３０ａ：ビスの足、４１：天板、４２：底板、４３：側板、４４：背板、４５：ボックス本体、５１：天板、５２：底板、５３：側板、５４：背板、５５：ボックス本体、Ｐａ・Ｐｂ：収納体に設けられた壁面への固定位置、Ｘａ・Ｘｂ：固定位置Ｐａ・Ｐｂに対応する位置。
【図１】
2017213355.tif 000003
【図２】
2017213355.tif 000004
【図３】
2017213355.tif 000005
【図４】
2017213355.tif 000006
【図５】
2017213355.tif 000007
【図６】
2017213355.tif 000008
【図７】
2017213355.tif 000009
【図８】
2017213355.tif 000010
【図９】
2017213355.tif 000011
【図１０】
2017213355.tif 000012
【図１１】
2017213355.tif 000013
【図１２】
2017213355.tif 000014
【図１３】
2017213355.tif 000015
【図１４】
2017213355.tif 000016
【図１５】
2017213355.tif 000017
【図１６】
2017213355.tif 000018
【図１７】
2017213355.tif 000019
【図１８】
2017213355.tif 000020
【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
部品で現場に納入され、方立と棚板を順次組み立てる棚タイプの収納体の壁面固定方法において、
収納体の下部固定位置に合わせて下側の施工桟を壁面本体に接着し、
次いで、前記方立と棚板とを壁面本体に沿って下から組み立てて、組み立て途中の収納体の下側の固定位置と下側の施工桟とをＬ形金具にてビス止めし、
続いて、残る方立及び棚板を組み立てて、組み立て途中の収納体の上の固定位置に合わせて上側の施工桟を壁面本体に接着し、
然る後、残る棚板を組み上げて収納体を組み立て、
組み立てられた収納体の上の固定位置と上側の施工桟にＬ形金具をそれぞれビス止めし、
上・下側の施工桟を介して収納体を壁面本体に取り付けることを特徴とする収納体の壁面固定方法。
【請求項２】
天板、底板、側板及び背板とで構成され、壁面本体に沿って床に立設されるように組み立てられる収納体の上部固定位置及び下部固定位置に合わせて上側の施工桟及び下側の施工桟をそれぞれ壁面本体に接着し、且つ上・下側の施工桟を両側から挟むと共に左右の側板の上端と下端とに天板及び底板をそれぞれ取り付けて内側に上・下側の施工桟を収納したボックス本体を壁面に沿わせて構成し、
続いて前記ボックス本体内に背板を挿入し、上・下側の施工桟の前面に配置して収納体を組み立て、
然る後、組み立てられた収納体の固定位置と施工桟とにＬ形金具の一片と他片とをそれぞれビス止めし、
上・下側の施工桟を介して収納体を床置き状態で壁面本体に取り付けることを特徴とする収納体の壁面固定方法。
【請求項３】
天板、底板、側板及び背板とで構成され、壁面本体に吊設状態に組み立てられる収納体の上部固定位置及び下部固定位置に合わせて上側の施工桟及び下側の施工桟をそれぞれ壁面本体に接着し、
上側の施工桟に背板を取り付け、
上側の施工桟と背板とを両側から挟むように左右の側板を配置して上側の施工桟の側端面に左右の側板を取り付け、且つ左右の側板の上下に天板と底板とを配置して左右の側板の上端と天板、及び左右の側板の下端と底板を互いに接続して収納体を組み立て、
然る後、組み立てられた収納体の固定位置と上・下側の施工桟とにＬ形金具の一片と他片とをそれぞれビス止めし、
上・下側の施工桟を介して収納体を壁面本体に吊設状態に取り付けることを特徴とする収納体の壁面固定方法。
【請求項４】
収納体の背面に突出した棚板の背面突出部分、又は天板の背面突出部分、或いは天板及び底板の背面突出部分を上・下側の施工桟に対する係止部としたことを特徴とする請求項１〜３のいずれかに記載の収納体の壁面固定方法。
【請求項５】
上・下側の施工桟間に補強桟を設け、補強桟を上・下側の施工桟に接続したことを特徴とする請求項１〜４のいずれかに記載の収納体の壁面固定方法。
【請求項６】
ビスを用いて柱に施工桟を固定した際の固定力を少なくとも発揮できる接着面積で施工桟を壁面本体に接着剤を用いて接着することを特徴とする請求項１〜５のいずれかに記載の収納体の壁面固定方法。
【請求項７】
ビスの足の長さは、施工桟の板厚より短いことを特徴とする請求項１〜６のいずれかに記載の収納体の壁面固定方法。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項１に記載の発明は（下側の棚板１２を下側の施工桟３ｂに先にＬ形金具２０で固定し、その後、組み上げてから、或いは組み立て途中で上の棚板１６を上側の施工桟３ａにＬ形金具２０で固定する場合（図１、図２及び図５））で、
部品で現場に納入され、方立１１・１３・１５と棚板１２・１４・１６を順次組み立てる棚タイプの収納体１０ａの壁面固定方法において、
収納体１０ａの下部固定位置Ｐｂに合わせて下側の施工桟３ｂを壁面本体２に接着し、
次いで、前記方立１１と棚板１２とを壁面本体２に沿って下から組み立てて、組み立て途中の収納体１０ａの下側の固定位置Ｐｂと下側の施工桟３ｂとをＬ形金具２０にてビス止めし、
続いて、残る方立１３・１５及び棚板１４を組み立てて、組み立て途中の収納体１０ａの上の固定位置Ｐａに合わせて上側の施工桟３ａを壁面本体２に接着し、
然る後、残る棚板１６を組み上げて収納体１０ａを組み立て、
組み立てられた収納体１０ａの上の固定位置Ｐａと上側の施工桟３ａにＬ形金具２０をそれぞれビス止めし、
上・下側の施工桟３ａ・３ｂを介して収納体１０ａを壁面本体２に取り付けることを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
請求項２に記載した発明は、部品で現場に納入された床置きタイプの収納体１０ｂの壁面固定方法（図８〜図１１）で、
天板４１、底板４２、側板４３及び背板４４とで構成され、壁面本体２に沿って床１に立設されるように組み立てられる収納体１０ｂの上部固定位置Ｐａ及び下部固定位置Ｐｂに合わせて上側の施工桟３ａ及び下側の施工桟３ｂをそれぞれ壁面本体２に接着し、且つ上・下側の施工桟３ａ・３ｂを両側から挟むと共に左右の側板４３の上端と下端とに天板４１及び底板４２をそれぞれ取り付けて内側に上・下側の施工桟３ａ・３ｂを収納したボックス本体４５を壁面に沿わせて構成し、
続いて前記ボックス本体４５内に背板４４を挿入し、上・下側の施工桟３ａ・３ｂの前面に配置して収納体１０ｂを組み立て、
然る後、組み立てられた収納体１０ｂの固定位置Ｐａ・Ｐｂと施工桟３ａ・３ｂとにＬ形金具２０の一片２０ａと他片２０ｂとをそれぞれビス止めし、
上・下側の施工桟３ａ・３ｂを介して収納体１０ｂを床置き状態で壁面本体２に取り付けることを特徴とする。
【手続補正９】
【補正対象書類名】明細書
【補正対象項目名】００１５
【補正方法】変更
【補正の内容】
【００１５】
請求項３に記載した発明は、部品で導入されたフロートタイプの収納体１０ｃの壁面固定方法（図１４〜１７）で、
天板５１、底板５２、側板５３及び背板５４とで構成され、壁面本体２に吊設状態に組み立てられる収納体１０ｃの上部固定位置Ｐａ及び下部固定位置Ｐｂに合わせて上側の施工桟３ａ及び下側の施工桟３ｂをそれぞれ壁面本体２に接着し、
上側の施工桟３ａに背板５４を取り付け、
上側の施工桟３ａと背板５４とを両側から挟むように左右の側板５３を配置して上側の施工桟３ａの側端面に左右の側板５３を取り付け、且つ左右の側板５３の上下に天板５１と底板５２とを配置して左右の側板５３の上端と天板５１、及び左右の側板５３の下端と底板５２を互いに接続して収納体１０ｃを組み立て、
然る後、組み立てられた収納体１０ａの固定位置Ｐａ・Ｐｂと上・下側の施工桟３ａ・３ｂとにＬ形金具２０の一片２０ａと他片２０ｂとをそれぞれビス止めし、
上・下側の施工桟３ａ・３ｂを介して収納体１０ｃを壁面本体２に吊設状態に取り付けることを特徴とする。
【手続補正１０】
【補正対象書類名】明細書
【補正対象項目名】００１６
【補正方法】変更
【補正の内容】
【００１６】
本発明において壁面本体２とは、施工桟３（３ａ・３ｂ）の施工部位にクロスのような表面化粧材５が貼着されていない状態を言い、仮に、クロスのような表面化粧材５が貼り付けられている場合には、少なくとも施工桟３（３ａ・３ｂ）の施工（接着）部位の表面化粧材５を取り除き、コンクリート或いは石膏ボードのような壁の素面を剥き出しにした部分をいう。表面化粧材５の剥離面積は、基本的には施工桟３（３ａ・３ｂ）の大きさである。
また、収納体１０とは、日常生活に於いて使用される様々な備品を収納する収納家具で、例えば、方立１１・１３・１５を介して複数の棚板１２・１４・１６を多段に設けた多段棚状の収納体１０ａや、板４３・５３の上下に天板４１・５１と底板４２・５２を取り付けた箱状の収納体１０ｂ・１０ｃなどが考えられる。
上記の場合、収納体１０は棚タイプのもの、床置き設置型のもの、或いはフロートタイプのものなど、様々なタイプのものが対象となる。
収納体１０に設けられた壁面本体２への上記固定位置（以下、この位置をＰａ・Ｐｂで示す。）とは、収納体１０を施工桟３（３ａ・３ｂ）に固定する位置で、ここではＬ形金具２０の他片２０ｂの取り付け位置である。
上記固定位置Ｐａ・Ｐｂは、収納体１０のどの部分でも良いが、施工桟３に対する収納体１０の取り付け位置がしっかりと固定できる位置が好ましい。固定位置Ｐａ・Ｐｂは、図の実施例では上下２箇所であるがこれに限られず、３以上とすることも可能である。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
請求項４に記載の発明は、請求項１〜３のいずれかに記載の収納体１０の壁面固定方法であって、
収納体１０の背面に突出した棚板１２・１６の背面突出部分、又は天板５１の背面突出部分、或いは天板５１及び底板５２の背面突出部分を上・下側の施工桟３ａ・３ｂに対する係止部１８としたことを特徴とする。
【手続補正１３】
【補正対象書類名】明細書
【補正対象項目名】００２０
【補正方法】変更
【補正の内容】
【００２０】
請求項５に記載した発明は、請求項１〜４のいずれかに記載の収納体１０の壁面固定方法において、
上・下側の施工桟３ａ・３ｂ間に補強桟３ｃを設け、補強桟３ｃを上・下側の施工桟３ａ・３ｂに接続したことを特徴とする。
これにより補強桟３ｃを介して上・下側の施工桟３ａ・３ｂが一体化される。
【手続補正１４】
【補正対象書類名】明細書
【補正対象項目名】００２１
【補正方法】変更
【補正の内容】
【００２１】
請求項６に記載した発明は、請求項１〜５のいずれかに記載の収納体１０の壁面固定方法において、ビス３０を用いて柱に施工桟３（３ａ・３ｂ）を固定した際の固定力を少なくとも発揮できる接着面積で施工桟３（３ａ・３ｂ）を壁面本体２に接着剤を用いて接着することを特徴とする。
接着剤としては例えば変性シリコン系の接着剤その他後述する相当品が用いられる。
【手続補正１５】
【補正対象書類名】明細書
【補正対象項目名】００２２
【補正方法】変更
【補正の内容】
【００２２】
請求項７記載した発明は、請求項１〜６のいずれかに記載の収納体１０の壁面固定方法において、ビス３０の足３０ａの長さは、施工桟３（３ａ・３ｂ）の板厚より短いことを特徴とする。
これによりＬ形金具２０の一片２０ａを施工桟３（３ａ・３ｂ）に取り付ける時、ビス３０の足３０ａが施工桟３の内側に収まり、壁面本体２を傷つけることがない。
【手続補正１６】
【補正対象書類名】明細書
【補正対象項目名】００２４
【補正方法】変更
【補正の内容】
【００２４】
【図１】本発明の収納体の第１実施例の正面図である。
【図２】図１の側面図である。
【図３】施工桟の取り付け状態の斜視図である。
【図４】最下段の方立の取り付け状態の斜視図である。
【図５】図１の斜視図である。
【図６】本発明の収納体の第２実施例の枠体取り付け前の斜視図である。
【図７】本発明の収納体の第２実施例の斜視図である。
【図８】第２実施例に於ける施工桟の取り付け状態の正面図である。
【図９】図８の縦断面図である。
【図１０】本発明の収納体の第２実施例の正面図である。
【図１１】図１０の断面図である。
【図１２】本発明の収納体の第３実施例の枠体取り付け前の斜視図である。
【図１３】本発明の収納体の第３実施例の斜視図である。
【図１４】第３実施例に於ける施工桟の取り付け状態の正面図である。
【図１５】図１４の縦断面図である。
【図１６】本発明の収納体の第３実施例の正面図である。
【図１７】図１６の断面図である。
【図１８】本発明の収納体の第４実施例の正面図である。